(57)【要約】【課題】アンテナの通信状態が悪化することを抑制すること。【解決手段】プリンタ１は、シートに画像を形成する画像形成部２０と、筐体１０と、当該筐体１０の前面に対して開閉可能に構成されたフロントカバー１５と、近距離無線通信用のアンテナ２５Ａを有する通信基板２５を備える。プリンタ１では、フロントカバー１５に通信基板２５が設けられている。これにより、フロントカバー１５と通信基板２５とが共に筐体１０の前側に配置され、これらが重なって配置される場合に、通信基板２５をプリンタ１の表面近くに配置することができ、アンテナ２５Ａの通信状態が悪化することを抑制することができる。【選択図】図２
2015189107.tif 000002
【特許請求の範囲】
【請求項１】
シートに画像を形成する画像形成部と、
筐体と、
前記筐体の前面に対して開閉可能に構成されたカバーと、
近距離無線通信用のアンテナを有し、前記カバーに設けられる通信基板と、
を備える、画像形成装置。
【請求項２】
請求項１記載の画像形成装置であって、
前記カバーは、
前記筐体の前面を覆う前板と、
前記筐体の上面の前端を覆う天板と、を有し、
前記通信基板は、前記天板に配置される、画像形成装置。
【請求項３】
請求項２記載の画像形成装置であって、
前記通信基板は、前記アンテナと接続される通信回路を有し、前記アンテナが前記通信回路よりも左右方向端部側に位置する向きで前記天板に配置される、画像形成装置。
【請求項４】
請求項３記載の画像形成装置であって、
前記筐体の上面に設けられ、前記画像形成部により画像が形成されて前記筐体の上面の前端側に向けて排出されるシートが載置される排出トレイを備え、
前記アンテナは、前記排出トレイに対して左右方向にずれた位置に設けられる、画像形成装置。
【請求項５】
請求項３または請求項４に記載の画像形成装置であって、
前記筐体に設けられ、前記画像形成部を制御する制御部を有する筐体側基板と、
前記通信基板の前記通信回路と前記筐体側基板とを接続するハーネスと、
を備え、
前記ハーネスは、前記前板及び前記天板の前記筐体に対向する内面に沿って直線状に配線される、画像形成装置。
【請求項６】
請求項５記載の画像形成装置であって、
前記筐体側基板は、前記筐体の左右方向の一方側端部に配置され、
前記通信基板は、前記天板において前記筐体側基板と同じ側の左右方向端部に配置される、画像形成装置。
【請求項７】
請求項５または請求項６に記載の画像形成装置であって、
前記筐体と前記カバーの少なくとも一方には、前記カバーを閉じることに応じて前記筐体と前記カバーとが対向する範囲に前記ハーネスを連通させる切欠が設けられている、画像形成装置。
【請求項８】
シートに画像を形成する画像形成部と、
筐体と、
近距離無線通信用のアンテナを有し、前記筐体の前側に設けられる通信基板と、
前記筐体の前面に対して開閉可能に構成され、閉じた状態で前記通信基板を覆うカバーと、
前記カバーが閉じた状態となることに連動して前記筐体の内側から外側に向かう方向へと前記通信基板を移動させ、前記カバーが開いた状態となることに連動して前記筐体の外側から内側に向かう方向へと前記通信基板を移動させる連動部材と、
を備える、画像形成装置。
【請求項９】
請求項８記載の画像形成装置であって、
前記カバーは、
前記筐体の前面を覆う前板と、
前記筐体の上面の前端を覆う天板と、を有し、
前記通信基板は、前記天板に覆われる、画像形成装置。
【請求項１０】
請求項９記載の画像形成装置であって、
前記連動部材は、前記カバーが閉じた状態において前記通信基板を前記天板と平行とする、画像形成装置。
【請求項１１】
請求項１０記載の画像形成装置であって、
前記天板は、前記筐体に対向する内面に位置決め部材を有し、
前記連動部材は、前記カバーが閉じた状態において前記位置決め部材により前記天板に対して位置決めされる、画像形成装置。
【請求項１２】
請求項８から請求項１１のいずれか一項に記載の画像形成装置であって、
前記連動部材は、前記カバーが開いた状態となることに連動して前記通信基板を前記カバーに接触しない位置に移動させる、画像形成装置。
【請求項１３】
請求項８から請求項１２のいずれか一項に記載の画像形成装置であって、
前記カバーは、前記筐体に対向する内面にリブを有し、
前記連動部材は、回転軸周りに回転可能に構成されており、
前記連動部材は、
前記カバーが閉じた状態となることに連動して前記リブと当接して回転し、前記通信基板を前記筐体の内側から外側に向かう方向へと移動させ、
前記カバーが開いた状態となることに連動して前記リブと離反して回転し、前記通信基板を前記筐体の外側から内側に向かう方向へと移動させる、画像形成装置。
【発明の詳細な説明】
【技術分野】
【０００１】
装置に近距離無線用のアンテナを配置する技術に関する。
【背景技術】
【０００２】
従来から、近距離無線用のアンテナが設けられた画像形成装置がある（特許文献１参照）。この画像形成装置は、使用者により操作入力が行われる装置の前面側の装置上面に近距離無線用のアンテナが配置されている。これにより、装置の使用者は、アンテナと通信するスマートフォン等の通信機を容易にアンテナに近接させることができる。
【先行技術文献】
【特許文献】
【０００３】
【特許文献１】特開２０１３−２２８５４０号公報
【発明の概要】
【発明が解決しようとする課題】
【０００４】
ところで、画像形成装置の前面側には、上記アンテナが設けられるとともに開閉可能に設けられたフロントカバー（以下、カバー）が設けられることがあり、使用者は当該カバーを開いた状態にしてトナー等の消耗品を装置の前面側から交換することができる。しかし、従来の画像形成装置では、アンテナとカバーの位置関係について十分に検討がされておらず、アンテナとカバーとが装置上の重なった位置に配置された場合には、アンテナの通信状態が悪化する虞がある。
【０００５】
本明細書では、アンテナの通信状態が悪化することを抑制することが可能な技術を開示する。
【課題を解決するための手段】
【０００６】
本明細書によって開示される画像形成装置は、シートに画像を形成する画像形成部と、筐体と、前記筐体の前面に対して開閉可能に構成されたカバーと、近距離無線通信用のアンテナを有し、前記カバーに設けられる通信基板と、を備える。
【０００７】
この画像形成装置は、近距離無線通信用のアンテナを有する通信基板がカバーに設けられる。これにより、カバーと通信基板とが筐体の前側に重なって配置された場合でも、通信基板を装置の表面近くに配置することができ、アンテナの通信状態が悪化することを抑制することができる。
【０００８】
上記画像形成装置では、前記カバーは、前記筐体の前面を覆う前板と、前記筐体の上面の前端を覆う天板と、を有し、前記通信基板は、前記天板に配置されてもよい。これにより、筐体の上面に通信基板を配置する際に、カバーの天板を避けて当該天板の後方に通信基板を配置する場合に比べて、アンテナを使用する使用者の操作性を向上させることができる。
【０００９】
上記画像形成装置では、前記通信基板は、前記アンテナと接続される通信回路を有し、前記アンテナが前記通信回路よりも左右方向端部側に位置する向きで前記天板に配置されてもよい。これにより、アンテナが通信回路よりも左右方向中央側に位置する場合に比べて、アンテナがカバー以外の他の構成により覆われることを抑制しやすく、アンテナの通信状態が悪化することを抑制しやすい。
【００１０】
上記画像形成装置では、前記筐体の上面に設けられ、前記画像形成部により画像が形成されて前記筐体の上面の前端側に向けて排出されるシートが載置される排出トレイを備え、前記アンテナは、前記排出トレイに対して左右方向にずれた位置に設けられてもよい。これにより、排出トレイに排出されるシートにより、アンテナの通信状態が悪化することを抑制することができる。
【００１１】
上記画像形成装置では、前記筐体に設けられ、前記画像形成部を制御する制御部を有する筐体側基板と、前記通信基板の前記通信回路と前記筐体側基板とを接続するハーネスと、を備え、前記ハーネスは、前記前板及び前記天板の前記筐体に対向する内面に沿って直線状に配線されてもよい。これにより、当該ハーネスの配線を簡素化することができる。
【００１２】
上記画像形成装置では、前記筐体側基板は、前記筐体の左右方向の一方側端部に配置され、前記通信基板は、前記天板において前記筐体側基板と同じ側の左右方向端部に配置されてもよい。この画像形成装置は、筐体側基板と通信基板とが装置の左右方向の同じ側に配置されるので、異なる側に配置される場合に比べてハーネスを短くすることができる。これにより、ハーネスにおけるノイズの影響を抑制することができ、アンテナの通信状態が悪化することを抑制することができる。
【００１３】
上記画像形成装置では、前記筐体と前記カバーの少なくとも一方には、前記カバーを閉じることに応じて前記筐体と前記カバーとが対向する範囲に前記ハーネスを連通させる切欠が設けられていてもよい。これにより、切欠が設けられない場合に比べて、カバーを閉じた状態でも、ハーネスが筐体とカバーの間に挟まって締め付けられることを抑制することができ、アンテナの通信状態が悪化することを抑制することができる。
【００１４】
本明細書によって開示される画像形成装置は、また、シートに画像を形成する画像形成部と、筐体と、近距離無線通信用のアンテナを有し、前記筐体の前側に設けられる通信基板と、前記筐体の前面に対して開閉可能に構成され、閉じた状態で前記通信基板を覆うカバーと、前記カバーが閉じた状態となることに連動して前記筐体の内側から外側に向かう方向へと前記通信基板を移動させ、前記カバーが開いた状態となることに連動して前記筐体の外側から内側に向かう方向へと前記通信基板を移動させる連動部材と、を備えていてもよい。
【００１５】
この画像形成装置は、近距離無線通信用のアンテナを有する通信基板がカバーに覆われる構成において、カバーが閉じた状態となることに連動して筐体の外側へと通信基板を移動させる連動部材を備える。これにより、アンテナを用いて通信を行うカバーの閉状態において、通信基板を装置の表面へと近づけることができ、アンテナの通信状態が悪化することを抑制することができる。また、連動部材は、カバーが開いた状態となることに連動して筐体の内側へと通信基板を移動させるので、開閉可能なカバーに覆われる位置に通信基板が配置された場合でも、カバーの開閉による通信基板の破損を抑制することができる。
【００１６】
本明細書によって開示される画像形成装置は、前記カバーは、前記筐体の前面を覆う前板と、前記筐体の上面の前端を覆う天板と、を有し、前記通信基板は、前記天板に覆われていてもよい。これにより、筐体の上面に通信基板を配置する際に、カバーの天板を避けて当該天板の後方に通信基板を配置する場合に比べて、アンテナを使用する使用者の操作性を向上させることができる。
【００１７】
本明細書によって開示される画像形成装置は、前記連動部材は、前記カバーが閉じた状態において前記通信基板を前記天板と平行としてもよい。これにより、カバーが閉じた状態において通信基板が天板に対して傾いている場合に比べて、アンテナの通信状態を向上させることができる。
【００１８】
本明細書によって開示される画像形成装置は、前記天板は、前記筐体に対向する内面に位置決め部材を有し、前記連動部材は、前記カバーが閉じた状態において前記位置決め部材により前記天板に対して位置決めされていてもよい。これにより、カバーの開閉の度に天板に対する通信基板の位置が変わる場合に比べて、アンテナを使用する際の使用者の操作性を向上させることができる。
【００１９】
本明細書によって開示される画像形成装置は、前記連動部材は、前記カバーが開いた状態となることに連動して前記通信基板を前記カバーに接触しない位置に移動させてもよい。この画像形成装置は、カバーが閉じた状態となることに連動して、連動部材は通信基板をカバーに接触しない位置に移動させる。これにより、開閉可能なカバーに覆われる位置に通信基板が配置された場合でも、カバーの開閉による通信基板の破損を抑制することができる。
【００２０】
本明細書によって開示される画像形成装置は、前記カバーは、前記筐体に対向する内面にリブを有し、前記連動部材は、回転軸周りに回転可能に構成されており、前記連動部材は、前記カバーが閉じた状態となることに連動して前記リブと当接して回転し、前記通信基板を前記筐体の内側から外側に向かう方向へと移動させ、前記カバーが開いた状態となることに連動して前記リブと離反して回転し、前記通信基板を前記筐体の外側から内側に向かう方向へと移動させてもよい。
【００２１】
この画像形成装置では、連動部材をカバーのリブにより回転させて通信基板を移動させる。これにより、カバーの開閉に応じて通信基板を移動させる別の機構を設ける場合に比べて、画像形成装置を簡素化して構成することができる。
【発明の効果】
【００２２】
本明細書によって開示される発明によれば、アンテナの通信状態が悪化することを抑制することが可能である。
【図面の簡単な説明】
【００２３】
【図１】プリンタの斜視図（フロントカバーの閉状態）
【図２】プリンタの斜視図（フロントカバーの開状態）
【図３】プリンタの概略的な断面図
【図４】プリンタの電気的構成を示すブロック図
【図５】通信基板の上面図
【図６】プリンタの斜視図（フロントカバーの開状態）
【図７】連動機構の模式図（フロントカバーの開状態）
【図８】連動機構の模式図（フロントカバーの閉状態）
【図９】連動機構の拡大した模式図（フロントカバーの閉状態）
【発明を実施するための形態】
【００２４】
＜実施形態１＞
一実施形態のプリンタ１について図１から図５を参照しつつ説明する。
（１）プリンタの機能
プリンタ１は、画像形成装置の一例であり、後述する通信インタフェース部７６（図４参照）を介してパーソナルコンピュータなどの外部装置と通信可能に構成されており、外部装置から受信した画像形成命令に基づいてシートに画像を形成する。
【００２５】
また、プリンタ１はスマートフォンや認証カードなどの携帯端末と１０ｃｍ程度以内の至近距離で近距離無線通信を行うことが可能に構成されている。近距離無線通信は以下の（ａ）〜（ｃ）などの目的に利用することができる。なお、近距離無線通信をどのような目的に利用するかは適宜に決定することができる。
（ａ）携帯端末から画像形成装置に認証情報を送信する。
（ｂ）携帯端末から画像形成装置に画像形成命令を送信する。
（ｃ）携帯端末から画像形成装置を操作する。
【００２６】
本実施形態では上述した近距離無線通信の通信方式としてＮＦＣ（Ｎｅａｒ  Ｆｉｅｌｄ  Ｃｏｍｍｕｎｉｃａｔｉｏｎ）を用いる場合を例に説明する。ＮＦＣはＩＳＯ／ＩＥＣ２１４８１やＩＳＯ／ＩＥＣ１８０９２として勧告された近距離無線通信の国際標準規格である。一般に無線通信の通信方式には電波方式と電磁誘導方式とがあり、ＮＦＣは電磁誘導方式によって無線通信するものである。
【００２７】
次に、プリンタ１の外観について説明する。プリンタ１は樹脂製の筐体１０を有している。筐体１０は略箱状に形成されており、その上面に排出トレイ１１が設けられている。筐体１０の上面の排出トレイ１１の左側には操作パネル１２が設けられている。操作パネル１２は液晶ディスプレイなどの表示装置１２Ａ、各種の操作ボタン１２Ｂなどを備えて構成されている。表示装置１２Ａは表示部分に物体の接触を検出するタッチセンサを有している。以降の説明ではタッチセンサを有している表示装置１２Ａのことをタッチスクリーン１２Ａという。
【００２８】
使用者はタッチスクリーン１２Ａや操作ボタン１２Ｂを操作することによって各種の設定や、各種の命令の入力等を行うことができる。また、タッチスクリーン１２Ａには使用者が近距離無線通信用のアンテナ２５Ａ（図５参照）に携帯端末をかざしたときに近距離無線通信の確立が成功したか否かを示す情報などが表示される。
【００２９】
筐体１０の前面の下側には、シートが収容されるシートトレイ１４が筐体１０に対して引き出し可能に設けられている。また、筐体１０の前面においてシートトレイ１４の上側にはフロントカバー１５が設けられている。フロントカバー１５は、その下端に設けられたヒンジ１８によって筐体１０の前面に対して開閉可能に設けられており、主に使用者がトナーやインクを交換するなどのメンテナンス作業を行うために設けられている。フロントカバー１５は、カバーの一例である。
【００３０】
フロントカバー１５は、筐体１０に対して閉じられた閉状態において筐体の前面を覆う前板１５Ａと、上記閉状態において筐体の上面を覆う天板１５Ｂとを含む。なお、前板１５Ａには、フロントカバー１５の左右両側の縁に設けられている壁１５Ｃを含む。
【００３１】
天板１５Ｂは、フロントカバー１５の閉状態において排出トレイ１１よりも前側に位置し、筐体の上面の前端を覆う。ここで前側とは、使用者がプリンタ１を操作すると想定されている側のことをいい、操作パネル１２のタッチスクリーン１２Ａに表示される文字は使用者が前側からからプリンタ１を見たときに正しく読めるように表示され、操作ボタン１２Ｂに表記されている文字は使用者が操作すると想定されている前側からプリンタを見たときに正しく読めるように表記されている。
【００３２】
図１に示すように、近距離無線通信用のアンテナ２５Ａを有する通信基板２５は、フロントカバー１５の天板１５Ｂに設けられている。フロントカバー１５は、天板１５Ｂの左側であって、天板１５Ｂの裏面に設けられており、フロントカバー１５の閉状態において操作パネル１２の前側に配置される。通信基板２５は、天板１５Ｂの裏面に設けられることで、後述するハーネス３６に接続されやすく配置されている。
【００３３】
図５に示すように、通信基板２５は近距離無線用のループ状のアンテナ２５Ａ、アンテナ２５Ａに接続されている通信回路２５Ｂ、ＬＥＤ２５Ｃなどが実装されている。通信回路２５Ｂはアンテナ２５Ａを用いた携帯端末との近距離無線通信を制御するための回路である。アンテナ２５Ａは通信基板２５がプリンタ１に取り付けられている状態において上を向く面に実装されており、通信回路２５Ｂ及びＬＥＤ２５Ｃは下を向く面に実装されている。
【００３４】
また、通信基板２５は、天板１５Ｂの左側においてアンテナ２５Ａが左側を向く姿勢で天板１５Ｂに配置されている。つまり、通信基板２５は、アンテナ２５Ａが通信回路２５Ｂよりも天板１５Ｂの左方向端部側に位置する向きで天板１５Ｂに配置されている。そのため、フロントカバー１５の閉状態において、通信基板２５の通信回路２５Ｂは排出トレイ１１の前側に配置され、後述するように前側に向かって排出トレイ１１に排出されるシートによって覆われる可能性がある。その一方、通信基板２５のアンテナ２５Ａは、アンテナ２５Ａが通信回路２５Ｂよりも右側に位置する向きで天板１５Ｂに配置されるよりも、左右方向において排出トレイ１１に対してずれた位置に配置されやすく、排出トレイ１１に排出されるシートによって覆われることが抑制されている。
【００３５】
通信基板２５のループ状のアンテナ２５Ａの内側の領域には、光透過穴２５Ｄ及び２つの位置決め穴２５Ｅが形成されている。天板１５Ｂのアンテナ２５Ａに対向する部分には、透光性を有する保護カバー２７が使用され、当該保護カバー２７により通信基板２５の上側が覆われている。通信基板１５は、位置決め穴２５Ｅが保護カバー２７に設けられた位置決めピン２８（実施形態１と同一の保護カバー２７を用いる実施形態２の図９参照）に挿入されることによって、保護カバー２７及び天板１５Ｂに対して位置決めされる。位置決めピン２８は、位置決め部材の一例である。
【００３６】
その一方、通信基板２５は透光性を有する保護カバー２７によって上側が覆われているため、保護カバー２７により使用者はアンテナ２５Ａを直接視認することはできない。そのため、プリンタ１は通信回路２５Ｂの下側から光透過穴２５Ｄを介してアンテナ２５Ａの内側の領域１７（図１参照）をＬＥＤ２５Ｃによって発光するように構成されており、使用者はその光によってアンテナ２５Ａの位置を把握することができる。
【００３７】
図２はフロントカバー１５を開いた開状態のプリンタ１を示している。図２に示すように、筐体１０には、フロントカバー１５の閉状態においてフロントカバー１５の内部に入り込み、フロントカバー１５に対向する対向部３０が一体に形成されている。対向部３０は、フロントカバー１５の前板１５Ａ及び天板１５Ｂに対向する範囲に形成されている。また、筐体１０の内部の左方向端部側には、制御基板３５が設けられている。制御基板３５には、ＣＰＵ７１やＡＳＩＣ（Application Specific Integrated Circuit）７５（図４参照）などが実装されており、ＣＰＵ７１やＡＳＩＣ７５は、後述する画像形成部２０などの制御を行う。制御基板３５は、筐体側基板の一例である。
【００３８】
制御基板３５は、ハーネス３６によって通信基板２５に接続されており、通信回路２５Ｂを制御するとともに、通信回路２５Ｂがアンテナ２５Ａを用いて携帯端末と近距離無線通信を行った結果を、ハーネス３６を介して取得する。筐体１０の対向部３０には、筐体１０の内側と外側とを連通させる貫通穴３１が設けられており、ハーネス３６は当該貫通穴３１を通って通信基板２５に接続される。
【００３９】
ハーネス３６は、フロントカバー１５に対して、前板１５Ａの左側の縁に設けられている壁１５Ｃ及び天板１５Ｂの内面に沿って直線状に配線されている。ここで内側とは、フロントカバー１５の閉状態において筐体１０に対向する側の面のことをいう。
【００４０】
また、筐体１０の対向部３０には、貫通穴３１から上側に延びる切欠３２が設けられている。切欠３２は、対向部３０の他の部分よりも後側に窪んだ形状をし、フロントカバー１５の閉状態においてハーネス３６は切欠３２を連通する。これにより、フロントカバー１５の閉状態において、ハーネス３６が筐体１０とフロントカバー１５の間に挟まれ、断線などの異常が発生することが抑制されている。
【００４１】
（２）プリンタの内部構造
次に、図３を参照して、プリンタ１の内部構造について概略的に説明する。プリンタ１はシートトレイ１４、画像形成部２０、搬送部２１などを備えて構成されている。
【００４２】
搬送部２１は図示しない複数の搬送ローラやそれらの搬送ローラを回転駆動するモータなどを備えており、シートトレイ１４に収容されているシートを１枚ずつ搬送経路Ｔに沿って搬送する。画像形成部２０は搬送部２１によって搬送されているシートに電子写真方式やインクジェット方式などで画像を形成する。画像形成部２０によって画像が形成されたシートは、搬送部２１によって排紙口２２から筐体１０の前側に向かって排出され、排出トレイ１１上に載置される。
【００４３】
（３）プリンタの電気的構成
図４を参照して、プリンタ１の電気的構成について概略的に説明する。プリンタ１は、ＣＰＵ７１、ＲＯＭ７２、ＲＡＭ７３、ＮＶＲＡＭ７４、ＡＳＩＣ７５、画像形成部２０、搬送部２１、操作パネル１２、通信インタフェース部７６、通信基板２５などを備えて構成されている。このうち、ＣＰＵ７１、ＲＯＭ７２、ＲＡＭ７３、ＮＶＲＡＭ７４、及び、ＡＳＩＣ７５が、制御基板３５に実装されている。
【００４４】
ＲＯＭ７２には、プリンタ１の動作を制御するための各種プログラムが記憶されており、各種のプログラムには、例えば画像形成部２０を制御するためのプログラムが含まれる。ＣＰＵ７１は、ＲＯＭ７２から読み出したプログラムに従って、その処理結果をＲＡＭ７３やＮＶＲＡＭ７４に記憶させながら、必要に応じてＡＳＩＣ７５などのハード回路を用いてプリンタ１の各部を制御する。
【００４５】
通信インタフェース部７６は、ＵＳＢ（Ｕｎｉｖｅｒｓａｌ  Ｓｅｒｉａｌ  Ｂｕｓ）、ＬＡＮ（Ｌｏｃａｌ  Ａｒｅａ  Ｎｅｔｗｏｒｋ）、インターネットなどの通信回線を介して外部の装置と通信するためのハードウェアである。
【００４６】
（４）実施形態の効果
上述した本実施形態では、近距離無線通信用のアンテナ２５Ａを有する通信基板２５がフロントカバー１５に設けられる。そのため、フロントカバー１５と通信基板２５とが共に筐体１０の前側に配置され、これらが重なって配置される場合に、通信基板２５をプリンタ１の表面近くに配置することができる。これにより、通信基板２５がフロントカバー１５の内側の、例えば対向部３０の上面に配置される場合に比べて、アンテナ２５Ａの通信状態が悪化することを抑制することができる。
【００４７】
上述した本実施形態では、通信基板２５がフロントカバー１５の天板１５Ｂに配置される。これにより、筐体１０の上面に通信基板２５を配置する際に、フロントカバー１５の天板１５Ｂを避けて天板の後方に通信基板２５を配置する場合に比べて、アンテナ２５Ａを使用する使用者の操作性を向上させることができる。
【００４８】
上述した本実施形態では、アンテナ２５Ａが通信回路２５Ｂよりも天板１５Ｂの左方向端部側に配置される。これにより、アンテナ２５Ａが通信回路２５Ｂよりも天板１５Ｂの左右方向中央側に配置される場合に比べて、アンテナ２５Ａがフロントカバー１５以外の構成に覆われることを抑制することができる。
【００４９】
具体的には、アンテナ２５Ａが通信回路２５Ｂよりも天板１５Ｂの左方向端部側に配置されることで、当該アンテナ２５Ａを排出トレイ１１に対して左側にずれた位置に配置することができる。これにより、アンテナ２５Ａが排出トレイ１１に排出されるシートに覆われることを抑制することができ、アンテナ２５Ａの通信状態が悪化することを抑制することができる。
【００５０】
上述した本実施形態では、制御基板３５と通信基板２５とを接続するハーネス３６が、フロントカバー１５の前板１５Ａの左側の縁に設けられている壁１５Ｃ及び天板１５Ｂの内面に沿って直線状に配線されている。これにより、制御基板３５と通信基板２５とを接続するのに必要なハーネス３６の長さを短縮することができ、ハーネス３６を介して通信基板２５から送られる近距離無線通信の結果に対するノイズの影響を抑制してアンテナ２５Ａの通信状態が悪化することを抑制することができる。また、ハーネス３６を直線状に配線することで、ハーネス３６の配線を簡素化することができる。
【００５１】
上述した本実施形態では、制御基板３５と通信基板２５とが共にプリンタ１の左方向端部側に配置されている。これにより、制御基板３５と通信基板２５とがプリンタ１の左右方向の逆側に配置される場合に比べてハーネス３６の長さを短縮することができ、ハーネス３６を介して通信基板２５から送られる近距離無線通信の結果に対するノイズの影響を抑制してアンテナ２５Ａの通信状態が悪化することを抑制することができる。
【００５２】
上述した本実施形態では、筐体１０のフロントカバー１５に対向する対向部３０に切欠３２が設けられている。これにより、切欠３２が設けられない場合に比べて、フロントカバー１５の閉状態において、ハーネス３６が筐体１０とフロントカバー１５の間に挟まれて断線などの異常が発生し、アンテナ２５Ａの通信状態が悪化することを抑制することができる。
【００５３】
＜実施形態２＞
別の実施形態のプリンタ１について図６から図９を用いて説明する。本実施形態では、近距離無線通信用のアンテナ２５Ａを有する通信基板２５がフロントカバー１５ではなく、筐体１０の対向部３０に設けられている点で、上記の実施形態のプリンタ１と異なる。以下の説明では、上記の実施形態と同一の内容については重複した記載を省略する。
【００５４】
（１）プリンタの機能
図６に示すように、通信基板２５は筐体１０の前側に設けられた対向部３０の上面に配置されており、フロントカバー１５の閉状態において、通信基板２５はフロントカバー１５の天板１５Ｂに覆われる。通信基板２５は、筐体１０の左側の対向部３０の上面に、アンテナ２５Ａが通信回路２５Ｂよりも前側を向く姿勢で、操作パネル１２の前側に配置される。
【００５５】
仮に、通信基板２５がフロントカバー１５から離間した位置に固定して配置されると、フロントカバー１５の閉状態において使用者がプリンタ１と近距離無線通信を行う際に、アンテナ２５Ａの通信状態が悪化してしまう。その一方、通信基板２５がフロントカバー１５に近接した位置に固定して配置されると、フロントカバー１５を開閉する際に、フロントカバー１５がアンテナ２５Ａと接触して破損する虞があり、アンテナ２５Ａの通信状態が悪化してしまう。
【００５６】
そこで、本実施形態では、プリンタ１にフロントカバー１５の開閉に連動して通信基板２５を移動させる連動機構４０を備える。連動機構４０は、フロントカバー１５が閉状態となることに連動して通信基板を下側から上側に向かう方向へ、つまり、フロントカバー１５から離間した位置からフロントカバー１５に近接した位置に向かう方向へ、さらに詳細には、プリンタ１の内部からフロントカバー１５の天板１５Ｂの表面に向かう方向へと移動させる。また、連動機構４０は、フロントカバー１５が開状態となることに連動して通信基板を上側から下側に向かう方向へ、つまり、フロントカバー１５に近接した位置からフロントカバー１５から離間した位置に向かう方向へ、さらに詳細には、フロントカバー１５の天板１５Ｂの表面からプリンタ１の内部に向かう方向へと移動させる。
【００５７】
図７、８にプリンタ１の左右方向に直交する断面図を示すように、連動機構４０は、リンク部材４１と、カバーリブ４２と、対向リブ４３と、バネ４４と、収容ケース４５と、を含む。
【００５８】
図７はフロントカバー１５の開状態における連動機構４０を示す。収容ケース４５は、筐体１０の対向部３０に対して上下方向に移動可能に設けられる。収容ケース４５は、通信基板２５を収容し、通信基板２５の下面を覆う。リンク部材４１は留め具４１Ａにより対向部３０に固定され、留め具４１Ａを中心に回転可能に支持されている。リンク部材４１は、留め具４１Ａよりも後面側の部分４１Ｂにおいて、収容ケース４５の下面に当接する。リンク部材４１は、連動部材の一例である。
【００５９】
対向リブ４３は、対向部３０に設けられ、リンク部材４１の回転を規制する。また、バネ４４は、その一端が対向部３０に固定されているとともにその他端がリンク部材４１に固定される。この結果、図７に示すように、リンク部材４１は、バネ４４の弾性力により、留め具４１Ａよりも前側の部分４１Ｃが対向リブ４３に下側から当接して静止する。
【００６０】
以下、リンク部材４１が対向リブ４３に当接して静止した状態において、リンク部材４１の上側に向いた面を上面４１Ｄと呼び、リンク部材４１の下側に向いた面を下面４１Ｅと呼ぶ。対向リブ４３は、リンク部材４１の前側の部分４１Ｃにおいてリンク部材４１の上面４１Ｄに当接し、バネ４４の他端は、リンク部材４１の後面側の部分４１Ｂにおいてリンク部材４１の下面４１Ｅに固定されている。
【００６１】
図６に示すように、カバーリブ４２は、フロントカバー１５の内面に設けられている。フロントカバー１５が閉じられると、カバーリブ４２は、図８に示すように、リンク部材４１の前側の部分４１Ｃにおいてリンク部材４１の上面４１Ｄに当接する。これにより、リンク部材４１はバネ４４の弾性力に反して図面右回りに回転し、リンク部材４１の後面側の部分４１Ｂが収容ケース４５を持ち上げる。この結果、収容ケース４５に収容された通信基板２５は、図８に矢印５１に示すように上昇する。カバーリブ４２は、リブの一例である。
【００６２】
フロントカバー１５が閉状態となることに応じて上昇した通信基板２５は、天板１５Ｂのアンテナ２５Ａに対向する部分に使用され、透光性を有する保護カバー２７に近接する。この際、通信基板２５よりも上側に突出した収容ケース４５の上端が保護カバー２７に当接して、通信基板２５が天板１５Ｂと平行となる。
【００６３】
また、図９に拡大して示すように、保護カバー２７の内面には位置決めピン２８が設けられている。通信基板２５は保護カバー２７に近接する際に、通信基板２５に設けられた位置決め穴２５Ｅが位置決めピン２８に挿入されることによって、天板１５Ｂに対して位置決めされる。
【００６４】
一方、フロントカバー１５が開けられると、カバーリブ４２はリンク部材４１から離反する。これにより、図７に示すように、リンク部材４１はバネ４４の弾性力によって図面左回りに回転し、収容ケース４５が自重により下降する。この結果、収容ケース４５に収容された通信基板２５は、図８に矢印５２に示すように下降し、フロントカバー１５に接触しない位置まで退避する。
【００６５】
（２）実施形態の効果
上述した本実施形態では、近距離無線通信用のアンテナ２５Ａを有する通信基板２５が筐体１０の対向部３０に設けられ、フロントカバー１５に覆われる構造において、連動機構４０を備えている。連動機構４０は、フロントカバー１５の閉状態において使用者がプリンタ１と近距離無線通信を行う際に通信基板２５を上昇させることができ、これにより、アンテナ２５Ａの通信状態が悪化することを抑制することができる。また、連動機構４０は、フロントカバー１５の開状態において通信基板２５を下降させることができ、これにより、筐体１０のフロントカバー１５に覆われる位置に通信基板２５が配置された場合でも、フロントカバー１５との当接により通信基板２５が破損することを抑制することができる。
【００６６】
上述した本実施形態では、通信基板２５がフロントカバー１５の天板１５Ｂに覆われる。これにより、筐体１０の上面に通信基板２５を配置する際に、フロントカバー１５の天板１５Ｂを避けて天板の後方に通信基板２５を配置する場合に比べて、アンテナ２５Ａを使用する使用者の操作性を向上させることができる。
【００６７】
上述した本実施形態では、フロントカバー１５の閉状態において通信基板２５を天板１５Ｂと平行とする。これにより、フロントカバー１５の閉状態において通信基板２５が天板１５Ｂに対して傾いている場合に比べて、アンテナ２５Ａの通信状態を向上させることができる。
【００６８】
上述した本実施形態では、フロントカバー１５の閉状態において保護カバー２７に設けられた位置決めピン２８によって、通信基板２５を天板１５Ｂに対して位置決めする。これにより、フロントカバー１５の開閉の度に天板１５Ｂに対する通信基板２５の位置が変わる場合に比べて、アンテナ２５Ａに対して近距離無線通信を行う使用者の操作性を向上させることができる。
【００６９】
上述した本実施形態では、フロントカバー１５が開状態となることに応じて、連動機構４０は通信基板２５をフロントカバー１５に接触しない位置まで退避させる。これにより、開閉可能なフロントカバー１５に覆われる位置に通信基板２５が配置された場合でも、フロントカバー１５の開閉による通信基板２５の破損を抑制することができる。
【００７０】
上述した本実施形態では、連動機構４０において、リンク部材４１をフロントカバー１５に設けられたカバーリブ４２によって回転させ、通信基板２５を移動させる。これにより、フロントカバー１５の開閉に応じて通信基板２５を移動させる別の機構を設ける場合に比べて、連動機構４０を簡素化して構成することができる。
【００７１】
＜他の実施形態＞
上記記述及び図面によって説明した実施形態に限定されるものではなく、例えば次のような実施形態も技術的範囲に含まれる。
【００７２】
「画像形成装置」は、プリンタに限らず、例えば、スキャン機能やファックス機能を備えた複合機であってもよい。
【００７３】
「カバー」は、前板１５Ａと天板１５Ｂとを含むフロントカバーに限らず、前板１５Ａのみを含むフロントカバーであってもよい。この場合、通信基板２５は、フロントカバー１５の前板１５Ａに設けられてもよければ、筐体の前面に配置されてフロントカバー１５の前板１５Ａに覆われてもよい。
【００７４】
「切欠」は、筐体１０の対向部３０に限らず、フロントカバーの内面に設けられてもよい。
【００７５】
「内側から外側に向かう方向」は、下側から上側に向かう方向に限らず、例えば通信基板２５がフロントカバー１５の前板１５Ａに設けられている場合には、後側から前側に向かう方向であってもよい。同様に、「外側から内側に向かう方向」は、上側から下側に向かう方向に限らず、例えば通信基板２５がフロントカバー１５の前板１５Ａに設けられている場合には、前側から後側に向かう方向であってもよい。
【００７６】
通信基板を移動させる機構も上記実施形態に限られず、公知の移動機構に適宜置き換えることができる。
【００７７】
上記実施形態では、制御基板３５と通信基板２５とが共にプリンタ１の左方向端部側に配置されている例を示したが、制御基板３５と通信基板２５とが共にプリンタ１の右方向端部側に配置されてもよい。この場合、アンテナ２５Ａが通信回路２５Ｂよりも天板１５Ｂの右方向端部側に配置されることで、当該アンテナ２５Ａを排出トレイ１１に対して右にずれた位置に配置することができる。更には、制御基板３５と通信基板２５とがプリンタ１の左右方向の異なる側に配置されてもよい。
【符号の説明】
【００７８】
１０：筐体、１１：排出トレイ、１５：フロントカバー、１５Ａ：前板、１５Ｂ：天板、２０：画像形成部、２５：通信基板、２５Ａ：アンテナ、２５Ｂ：通信回路、２５Ｃ：ＬＥＤ、２５Ｄ：光透過穴、２５Ｅ：位置決め穴、２８：位置決めピン、３０：対向部、３１：貫通穴、３２：切欠、３５：制御基板、３６：ハーネス、４０：連動機構、４１：リンク部材、４２：カバーリブ、４３：対向リブ、４４：バネ
【図１】
2015189107.tif 000003
【図２】
2015189107.tif 000004
【図３】
2015189107.tif 000005
【図４】
2015189107.tif 000006
【図５】
2015189107.tif 000007
【図６】
2015189107.tif 000008
【図７】
2015189107.tif 000009
【図８】
2015189107.tif 000010
【図９】
2015189107.tif 000011